【手続補正書】
【提出日】平成17年10月27日(2005.10.27)
【手続補正１】
【補正対象書類名】明細書
【補正対象項目名】全文
【補正方法】変更
【補正の内容】
【書類名】明細書
【発明の名称】中高部及びエンボスを有する生理用ナプキン
【特許請求の範囲】
【請求項１】使用面側から裏面側にかけて；使用面側から体液を受け入れて内部の吸収体に保持する吸収要素と、
前記吸収要素から裏面側への体液の漏れを防止する漏れ防止シートとを備え：
前記吸収体は、ほぼ長手方向中央部にわたって、かつ幅方向中央部に使用面側に高い中高部を有し、
前記吸収体の前記中高部の両側に、外方に曲率中心を有する実質的に円弧状のフィットエンボスが形成され、
長手方向中央部から前側両側に、前記吸収要素の側縁外方に張り出すショーツへのフラップウイング、または製品の括れ部が形成され、
前記フラップウイングの長手方向中心線または前記括れ部の最も狭い位置を結ぶ線と、前記各曲率中心を結ぶ線と、前記中高部の長手方向中心とが、この順で前側に位置している、
ことを特徴とする中高部及びエンボスを有する生理用ナプキン。
【請求項２】前記両フィットエンボスの前後の各中間で前記中高部の前後端縁に長手方向外方に沿って繋ぎエンボスにより繋がっている、請求項１記載の生理用ナプキン。
【発明の詳細な説明】
【０００１】
【発明の属する技術分野】
本発明は、中高部及びエンボスを有する生理用ナプキンに関する。
【０００２】
【従来の技術】
生理用ナプキンにおいて、体液の横及び前後漏れ防止を図りながら良好なフィット性を確保することはきわめて重要である。このために、特開平１１−３３０５４号公報などに開示されているように、フィット性および吸収性を高めるために中高部を長手方向中央部のみに形成すること、吸収体のよれの防止や吸収要素領域内における体液の前後あるいは横漏れを防止するためにエンボス（圧搾条溝）を形成することが知られている。
【０００３】
中高部を形成することは、股間部に対するフィット性および吸収性を高めるためにきわめて有効である。
【０００４】
他方、生理用ナプキンにおいて、体液の横漏れ防止を図ることもきわめて重要である。このために、特公平７−７１５７０号公報には、両側にギャザーフラップを形成し、このギャザーフラップにて体液の横漏れを堰き止めるようにしたものが開示されている。
【０００５】
【発明が解決しようとする課題】
しかし、前記各先行例では、その目的が個別的であり、相関としての機能に着目していないことを、本発明者は知見した。
【０００６】
また、フラップウイングまたは側縁の括れ部からなる位置決め部の位置、フィットエンボスの位置、中高部の位置についても、先行技術はなんらの知見がない。
【０００７】
したがって、本発明の主たる課題は、女性の股間部の形状に対応して優れたフィット性および漏れ防止効果を発揮させることにある。
【０００８】
【課題を解決するための手段】
上記課題を解決した本発明は次記のとおりである。
【０００９】
＜請求項１記載の発明＞
使用面側から裏面側にかけて；使用面側から体液を受け入れて内部の吸収体に保持する吸収要素と、
前記吸収要素から裏面側への体液の漏れを防止する漏れ防止シートとを備え：
前記吸収体は、ほぼ長手方向中央部にわたって、かつ幅方向中央部に使用面側に高い中高部を有し、
前記吸収体の前記中高部の両側に、外方に曲率中心を有する実質的に円弧状のフィットエンボスが形成され、
長手方向中央部から前側両側に、前記吸収要素の側縁外方に張り出すショーツへのフラップウイング、または製品の括れ部が形成され、
前記フラップウイングの長手方向中心線または前記括れ部の最も狭い位置を結ぶ線と、前記各曲率中心を結ぶ線と、前記中高部の長手方向中心とが、この順で前側に位置している、
ことを特徴とする中高部及びエンボスを有する生理用ナプキン。
【００１０】
（作用効果）
Ａ．吸収要素は使用面側から体液を受け入れて内部に保持するが、裏面側には漏れ防止シートにより透過しない。
Ｂ．吸収体は、ほぼ長手方向中央部にわたって、かつ幅方向中央部に使用面側に高い中高部を有する。
したがって、中高部が股間部に食い込みフィット性が良好となり、排血口に密着するようになるので、スポット吸収性にも優れる。
Ｃ．前記吸収体の前記中高部の両側に、外方に曲率中心を有する実質的に円弧状のフィットエンボスが形成されている。
したがって、フィットエンボスは、中高部の潰れを防止し、中高部のよれを防止する。したがって、常に中高部が維持されるから、肌との間に隙間を生じることによる漏れの原因を解消できる。しかも、フィットエンボスは、外方に曲率中心を有する実質的に円弧状である。その結果、起立手段により、吸収要素の両側部が裏面側から使用面側に持ち上げられるとき、円弧状フィットエンボスに沿って持ち上げられるから、前側がやや広く、中間が狭く、後部が順に広くなる股間部幅に沿った吸収要素の両側部の起立形態となり、横漏れ防止及びフィット性にきわめて優れたものとなる。
Ｄ．ショーツに粘着剤などにより固定されるフラップウイングまたは括れ部は、長手方向中央部から前側に形成される。このとき、前記フラップウイングの長手方向中心線または前記括れ部の最も狭い位置を結ぶ線と、前記各曲率中心を結ぶ線と、前記中高部の長手方向中心とが、この順で前側に位置している。
この位置関係であると、排血口をほぼ中高部の長手方向中心近傍に位置させることができ、中高部での前後方向の拡散吸収性を十分に発揮させることができる。また、前記フラップウイングの長手方向中心線または前記括れ部の最も狭い位置を結ぶ線は、ショーツの最も狭い位置に位置決めされる。前記各曲率中心を結ぶ線上に、両脚の運動時の軸が位置決めされる。したがって、フィット性、特に運動時のフィット性にきわめて優れたものとなるとともに、漏れ防止効果が高いものとなる。
【００１１】
＜請求項２記載の発明＞
前記両フィットエンボスの前後の各中間で前記中高部の前後端縁に長手方向外方に沿って繋ぎエンボスにより繋がっている、請求項１記載の生理用ナプキン。
【００１２】
（作用効果）
Ｅ．中高部の前後のよれを防止できる。繋ぎエンボスは、両フィットエンボスの前後の各中間で繋がっているので、フィットエンボスでの変形及びフィット性を阻害しない。
【００１３】
【発明の実施の形態】
以下本発明の実施の形態を図面を参照しながらさらに詳説する。
【００１４】
＜第１の実施の形態：図１〜図６＞
図１の上側が前である。実施の形態の生理用ナプキンは、使用面側から体液を受け入れて内部に保持する吸収要素１０と、少なくとも長手方向中間において、前記吸収要素１０の裏面側にあって、前記吸収要素１０の両側縁より幅方向外方にそれぞれ延在し、その延在部分においてたとえば糸ゴムなどからなる弾性伸縮部材２１，２１を有するギャザーフラップ２０と、前記吸収要素１０から裏面側への体液漏れを防止し、前記吸収要素１０の両側縁位置より幅方向外方に延在している、たとえばポリエチレンシートなどからなる漏れ防止シート３０とを備える。
【００１５】
ここに、製品の装着時その弾性伸縮部材２１，２１の収縮力により吸収要１０素の側部を使用者の肌側に起立させる起立手段を構成する。
【００１６】
吸収要素１０は、使用面側に位置し体液を透過させる、不織布や好適には外面から内面方向には体液を通すが逆戻りを防止する小孔を有するポリエチレンシートを用いた表面シート１１と、透過した体液を受け入れて内部に保持する綿状粉砕パルプおよび必要によりさらにその上下面もしくは全面を包む吸収紙を有する吸収体１２とを有している。もちろん、高分子吸収ポリマーを含有させることができる。実施の形態では、表面シート１１は、吸収体１２の使用面および両側面を包み、下面の自由起点４０より中央側に延在して巻き込まれている（いわゆる額巻きされている）。吸収体１２は、ほぼ長手方向中央部にわたって、かつ幅方向中央部に使用面側に高い中高部を有している。実施の形態での中高部１２Ａは、小判状の形状である。
【００１７】
ギャザーフラップ２０は、好適には疎水性または撥水性などの不織布材料からなり、必要ならば体液不透過性プラスチックシートなども用いることが可能な、体液阻止性を有するギャザーフラップシート２２からなる。このギャザーフラップ２０を形成するギャザーフラップシート２２は、漏れ防止シート３０の両側部において、その上に重ね合わせ状態でたとえばホットメルト接着剤により固定され（その固定部分を＊印にて図示している）、製品の中央側において折り返され、折り目２２Ｂを境にして幅方向外方に向かい、その折り返し領域２２Ｃのうち吸収要素１０の側縁より内側の自由起点４０までの部分２２Ｃ１全体または自由起点４０近傍のみが吸収要素１０とホットメルト接着剤などにより固定してあり、この自由起点４０より幅方向外方部分２２Ｃ２は、吸収要素１０と非固定であり、かつ、ギャザーフラップシート２２の重ね合わせ領域においても非固定である。これにより、折り目２２Ｂが本発明の起立起線５０を構成する。
【００１８】
ここで、図示のように、自由起点４０までの部分２２Ｃ１についても、ギャザーフラップシート２２相互の重ね合わせ領域が非固定であると、ギャザーフラップ２０の折り返し領域２２Ｃ全体が起立起線５０を境にして自由に使用面側に起立することが可能である。
【００１９】
他方、吸収要素１０の少なくとも長手方向中間における、両側縁より内側位置において長手方向に沿って起立助長用としても機能するフィットエンボス５１，５１が、中高部の両側部に、使用面側から形成されている。このフィットエンボス５１，５１は、ナプキンの側外方に円弧中心を有する円弧またはほぼ円弧状曲線としてある。さらに、フィットエンボス５１，５１前後を繋いで方向に円弧またはほぼ円弧状曲線による繋ぎエンボス５２，５２が形成されている。これらのエンボス５１，５１，５２，５２で閉じられた領域では吸収体１２が中高とされている。したがって、エンボス５１，５１，５２，５２領域内おいて吸収体１２の中高部に集中的に吸収を図る構成とされている。
【００２０】
図２はホットメルト接着剤などによる相互の固定部と非固定部との関係を示している。前後端部の固定部としては、表面シート１１と漏れ防止シート３０とが、漏れ防止シート３０とギャザーフラップシート２２とが、ギャザーフラップシート２２の折り返し部分相互が固定されている。前後端部以外の固定部は図３および図４に図示のとおりである。
【００２１】
非固定部としては、図３および図４に図示されているほか、図２の実線のハッチング領域Ｚ１が、ギャザーフラップシート２２の折り重ね部分相互を固定していない領域であり、破線のハッチング領域Ｚ２で示す部分が吸収要素１０とギャザーフラップシート２２とを固定していない領域である。起立起線５０はフィットエンボス５１の長手方向中間の幅方向位置とほぼ一致するのが望ましい。
【００２２】
ここで、弾性伸縮部材２１としては、糸ゴムのほか、弾性伸縮性発泡体（たとえば発泡ウレタン）などの採用も可能である。弾性伸縮部材２１は幅方向に複数、たとえば２本とするのが起立・持ち上げ性に優れる。そのギャザーフラップシート２２との接着長さは５０〜１５０ｍｍ、特に８０〜１３０ｍｍが望ましく、伸張率は１１０〜１８０％が望ましい。
【００２３】
ギャザーフラップ２０の吸収要素１０の側縁より延在幅Ｗ１は、５〜３０ｍｍ、特に７〜１５ｍｍが望ましい。ポケット幅Ｗ２は２〜２０ｍｍ、ならびに２２Ｃの幅は２０〜４０ｍｍが望ましい。その長さは５０〜１２０ｍｍが好適である。２２Ｃ２の幅は１０〜３０ｍｍが好適である。起立起線５０とフィットエンボス５１の長手方向中間の幅方向位置との離間幅Ｗ３は０〜１０ｍｍが望ましく、特に０〜３ｍｍが特に望ましい
【００２４】
かかる構成の下で、本発明のナプキンを装着する場合には、漏れ防止シート３０の裏面（表面）に設けた粘着剤（図示せず）をショーツ内面に当てて仮止めするとともに、ウイング部３１をショーツの外面に巻き込み粘着剤（図示せず）により仮固定する。
【００２５】
装着状態を概念的に図５および図６に示した。ナプキンは前後方向に股間部に沿って湾曲する。このとき、弾性伸縮部材２１，２１の収縮力により、ギャザーフラップ２０の側部が起立する。このギャザーフラップは、吸収要素１０の側縁より幅方向外方に延在した延在部分に弾性伸縮部材２１を有するので、その収縮力により使用面側に起立するようになる。したがって、ギャザーフラップ２０が最終的な横漏れ防止用バリヤーカフスを構成する。しかも、ギャザーフラップ２０の起立により、吸収要素１０の両側部が裏面側から使用面側に持ち上げられる。その結果、少なくともその両側部が常に体にフィットし、横漏れを防止しつつ吸収要素１０内部への吸収性を高める。仮にその両側部から横漏れを生じた場合には、ギャザーフラップ２０にて最終的に横漏れを防止する。
【００２６】
好適な形態として、図示のように、ギャザーフラップ２０は、吸収要素１０の側縁より内側位置において自由起点４０を有し、この自由起点４０より幅方向外方部分は吸収要素１０と非固定である。しかるに、ナプキンの装着時において吸収要素１０は股間部に沿って前後方向に湾曲する際に、ギャザーフラップ２０のギャザーフラップシート２２により吸収要素１０の側部を拘束していないため、吸収要素１０の側部は吸収要素１０の湾曲変形に伴って独立して使用面側へ起立変形し、ギャザーフラップ２０も独立して起立変形する。したがって、激しい運動によっても、吸収要素１０の側部およびギャザーフラップ２０の側縁のいずれかが肌と接触するようになり、横漏れ防止効果が高い。
【００２７】
さらに、吸収要素１０の裏面において、吸収要素１０の側縁から自由起点４０までの部分がギャザーフラップ２０の使用面との間にポケットＰが形成されるので、仮に吸収要素１０の側縁を体液が越えたとしても、そのポケットＰに体液が一時的に留まる過程で吸収要素１０に吸収されるから、ギャザーフラップ２０の起立縁まで達することが少ない。
【００２８】
また、ギャザーフラップ２０の自由起点４０より幅方向外方部分は、吸収要素１０と非固定であるほか、ギャザーフラップシート２２相互の重ね合わせ部分が非固定であり、したがって漏れ防止シート３０と無関係としてあるので、漏れ防止シート３０のたとえばウイング部３１の衣類の外面への折り返し固定とは関係させずに、ギャザーフラップ２０を自由に起立させることができる。
【００２９】
この際、吸収要素１０の側縁より内側の起立起線５０において折り返され、この折り返し領域２２Ｃにおけるギャザーフラップシート２２相互が非固定であるから、ギャザーフラップ２０の折り返し領域２２Ｃ全体が自由に使用面側に起立するので、ギャザーフラップ２０および吸収要素１０の側部の起立が円滑かつ確実である。
【００３０】
ここで、フィットエンボス５１，５１を形成すると、ギャザーフラップ２０の収縮により、吸収要素１０の側部は、フィットエンボス５１，５１に沿って確実に起立するようになるため、これに要するギャザーフラップ２０の弾性伸縮部材２１の収縮力が小さいもので足り、もって肌との接触力も小さくなり、快適なものとなる。
【００３１】
さて、図１に明示されているように、ウイング３１，３１長手方向中心線Ｌ１と、フィットエンボス５１，５１の曲率中心Ｃ２を結ぶ線Ｌ２と、中高部１２Ａの長手方向中心Ｃ３（線Ｌ３）とが、この順で前側に位置している。この利点は前述の作用効果の欄で説明のとおりである。
【００３２】
＜第２の実施の形態：図７＞
上記第１の実施の形態においては、ギャザーフラップ２０を左右の二枚のギャザーフラップシート２２で構成した。これに対して、図７に示すように、吸収要素１０より幅広の一枚のギャザーフラップシート２２０により形成することができる。この場合において、漏れ防止シート３０は単一のプラスチックシートのほか、必要により漏れ防止シート３０のポリエチレンにその使用面側に不織布をラミネートしたものを用いることもできる。
【００３３】
この第２の実施の形態では、漏れ防止シート３０全体をギャザーフラップシート２２０で覆っているので、ナプキンの使用後において、製品裏面から見たときギャザーフラップシート２２０の存在により、吸収した体液が色的に目立たず、もって使用者からすれば吸収余力があるようにみえ、供給者からの視点で製品の価値が高まる。
【００３４】
＜第３の実施の形態＞
図８は他の形態を示したもので、両側部に個別ギャザーフラップシート２２を折り返しなしで配置したもので、しかも、自由起点４０，４０より内方の幅領域を漏れ防止シート３０と固定したものである。また、吸収要素１０の両側部に弾性伸縮部材２３、２３を有する。この例においては、ギャザーフラップ２０のほか、弾性伸縮部材２３、２３も本発明の起立手段を構成する。
【００３５】
＜その他の実施の形態＞
吸収要素１０の両側部に弾性伸縮部材２３、２３を設けた第３の実施の形態の形態からも推測できるように、吸収要素１０の両側部上にたとえばギャザーフラップシートを固定し、このギャザーフラップシートの長手方向中間の側縁部に固定した弾性伸縮部材の収縮力により、着用者の肌に向かって側縁が起立するバリヤーカフスを構成することにより、本発明の起立手段とすることができる。
【００３６】
他方、前記各実施の形態では、前記吸収要素の側縁外方に張り出しかつ長手方向中央部から前側にショーツへのウイングが形成されたものであるが、図９に示すように、吸収要素の側縁もしくはウイングをサイドカットした括れ部３２を、ショーツの最も狭い位置に位置決めするようにしたものでもよい。この場合には、両括れ部３２の最も狭い位置相互を結ぶ線がＬ１となる。
【００３７】
【発明の効果】
以上のとおり、本発明によれば、女性の股間部に良好にフィットし、かつ漏れ防止効果が高いものとなる。
【図面の簡単な説明】
【図１】
本発明の生理用ナプキンの使用面側からの平面図である。
【図２】
固定および非固定部分の説明図である
【図３】
図１の３−３線矢視図である。
【図４】
その要部拡大断面図である。
【図５】
使用状態の要部拡大断面図である。
【図６】
使用状態の斜視図である
【図７】
第２の実施の形態の要部拡大断面図である。
【図８】
第３の実施の形態の要部拡大断面図である。
【図９】
他の実施の形態の使用面側からの平面図である。
【符号の説明】
１０…吸収要素、１１…表面シート、１２…吸収体、２０…ギャザーフラップ、２１…弾性伸縮部材、２２…ギャザーフラップシート、３０…漏れ防止シート、３１…ウイング（部）、４０…自由起点、５０…起立起線、５１…フィットエンボス、５２…繋ぎエンボス。